(57)【要約】【課題】原稿の自動送りに対応した画像読取装置において、特別な機構を要することなく、原稿の重送発生を検出し得るようにすることで、装置構成の複雑化を招くことなく、重送発生に伴うユーザの負荷軽減を図る。【解決手段】原稿を毎葉で搬送する自動原稿送り部１と、この自動原稿送り部１が搬送する原稿から画像を読み取って画像データを得る画像読み取り部２と、この画像読み取り部２が得た画像データに対するエッジ検出を行い、そのエッジ検出の結果に基づいて前記自動原稿送り部１での原稿重送の有無を判断する読み取り制御部１０と、を備えて画像読取装置を構成する。【選択図】        図１
2005005837.tif 000002
【特許請求の範囲】
【請求項１】
原稿を毎葉で搬送する自動原稿送り部と、
前記自動原稿送り部が搬送する原稿から画像を読み取って画像データを得る画像読み取り部と、
前記画像読み取り部が得た画像データに対するエッジ検出を行い、当該エッジ検出の結果に基づいて前記自動原稿送り部での原稿重送の有無を判断する読み取り制御部と
を備えてなることを特徴とする画像読取装置。
【請求項２】
前記読み取り制御部は、前記自動原稿送り部での原稿重送が有ると判断すると、前記自動原稿送り部に対して原稿搬送の停止を指示するものである
ことを特徴とする請求項１記載の画像読取装置。
【請求項３】
前記読み取り制御部は、
前記自動原稿送り部で原稿重送が有った旨のアラーム出力を行う出力手段と、
原稿搬送を停止した前記自動原稿送り部に対する動作再開および前記画像読み取り部が得た原稿重送に係る画像データの廃棄要否を指示するための操作手段
としての機能を有したものであることを特徴とする請求項２記載の画像読取装置。
【請求項４】
原稿を毎葉で搬送する自動原稿送り部と、当該自動原稿送り部が搬送する原稿から画像を読み取って画像データを得る画像読み取り部と、を備えた画像読取装置における処理動作を制御するためのコンピュータにて用いられる画像読取プログラムであって、
当該コンピュータを、
前記画像読み取り部が得た画像データに対するエッジ検出を行うエッジ検出手段と、
前記エッジ検出手段でのエッジ検出の結果を基に前記自動原稿送り部での原稿重送の有無を判断する重送判断手段
として機能させることを特徴とする画像読取プログラム。
【請求項５】
前記コンピュータを、
前記重送判断手段が原稿重送有りと判断すると、前記自動原稿送り部に対して原稿搬送の停止を指示する停止指示手段
として機能させることを特徴とする請求項４記載の画像読取プログラム。
【請求項６】
前記コンピュータを、
前記自動原稿送り部で原稿重送が有った旨のアラーム出力を行う出力手段と、
原稿搬送を停止した前記自動原稿送り部に対する動作再開および前記画像読み取り部が得た原稿重送に係る画像データの廃棄要否を指示するための操作手段
として機能させることを特徴とする請求項５記載の画像読取プログラム。
【発明の詳細な説明】
【０００１】
【発明の属する技術分野】
本発明は、読み取り対象となる原稿の自動送りに対応した画像読取装置および画像読取プログラムに関する。
【０００２】
【従来の技術】
複写機、スキャナ装置、ファクシミリ装置等といった画像読取装置においては、いわゆる自動原稿送り部（Ａｕｔｏｍａｔｉｃ  Ｄｏｃｕｍｅｎｔ  Ｆｅｅｄｅｒ；以下「ＡＤＦ」と略す）により読み取り対象となる原稿を毎葉で連続的に搬送し、これらの原稿から画像を光学的に読み取って画像データを得る、といったスキャン動作が一般的に行われている。
【０００３】
ところで、ＡＤＦを用いたスキャン動作時には、複数枚の原稿が重なったまま搬送してしまう、いわゆる原稿の重送が生じてしまい、その結果ある原稿については画像データが得られないといったことが起こるおそれがある。このような原稿の重送が生じた場合、画像読取装置のユーザは、例えば▲１▼読み取り対象となる原稿の枚数とスキャン結果のページ数とを比較し、▲２▼そのページ数が原稿枚数未満の場合は１枚目から原稿とスキャン結果とを順に追って重送が発生した箇所を特定し、▲３▼既に得ているスキャン結果から特定した重送箇所を削除し、▲４▼新たに重送箇所についての再スキャン動作を行い、▲５▼再スキャン動作で得られた結果を削除した重送発生箇所へ挿入する、といった処理を行う必要があり、非常に多大な労力が必要となる。
【０００４】
このことから、従来、ＡＤＦを用いたスキャン動作時に対応する画像読取装置の中には、原稿の被読み取り面だけではなく、その断面をもスキャンして、厚さ（枚数）を判定することで、原稿の重送が発生したか否かを検出し得るようにしたものがある（例えば、特許文献１参照）。また、原稿の表裏面をスキャンして、互いの裏写り画像（透過光量）を比較することで、原稿が重送されたか否かを検出し得るようにしたものもある（例えば、特許文献２参照）。
【０００５】
【特許文献１】
特開平６−１０５０６２号公報
【特許文献２】
特開平１１−２９８６６５号公報
【０００６】
【発明が解決しようとする課題】
しかしながら、上述した従来の画像読取装置では、原稿の重送発生を直ちに検出することで、スキャン動作を停止したりユーザに報知する等の対応処理を行うことが可能となり、重送発生に伴うユーザの負荷軽減が図れるようになるが、重送発生を検出するために、原稿の厚さや透過光量等の検出センサに代表される特別な機構が必要となってしまう。すなわち、用紙厚センサ、透過光量センサ、その他超音波センサやスキャン済み用紙にマーキングする等の特別な機構を用意しなければ、原稿の重送発生を検出することができない。したがって、従来の画像読取装置では、重送発生検出のために装置構成が複雑化してしまい、結果として装置小型化や低コスト化等の妨げとなってしまうおそれがある。
【０００７】
そこで、本発明は、特別な機構を要することなく、原稿の重送発生を検出し得るようにすることで、装置構成の複雑化を招くことなく、重送発生に伴うユーザの負荷軽減を図ることのできる画像読取装置および画像読取プログラムを提供することを目的とする。
【０００８】
【課題を解決するための手段】
本発明は、上記目的を達成するために案出された画像読取装置で、原稿を毎葉で搬送する自動原稿送り部と、前記自動原稿送り部が搬送する原稿から画像を読み取って画像データを得る画像読み取り部と、前記画像読み取り部が得た画像データに対するエッジ検出を行い、当該エッジ検出の結果に基づいて前記自動原稿送り部での原稿重送の有無を判断する読み取り制御部とを備えてなることを特徴とするものである。
【０００９】
また、本発明は、上記目的を達成するために案出された画像読取プログラムである。すなわち、原稿を毎葉で搬送する自動原稿送り部と、当該自動原稿送り部が搬送する原稿から画像を読み取って画像データを得る画像読み取り部と、を備えた画像読取装置における処理動作を制御するためのコンピュータにて用いられる画像読取プログラムであって、当該コンピュータを、前記画像読み取り部が得た画像データに対するエッジ検出を行うエッジ検出手段と、前記エッジ検出手段でのエッジ検出の結果を基に前記自動原稿送り部での原稿重送の有無を判断する重送判断手段として機能させることを特徴とするものである。
【００１０】
上記構成の画像読取装置および画像読取プログラムによれば、自動原稿送り部が搬送する原稿から画像読み取り部が画像データを読み取ると、その画像データに対するエッジ検出を行う。このとき、自動原稿送り部で原稿の重送が発生すると、重なり合う原稿の端縁同士は、それぞれが互いに一致することはなく、原稿の送り方向に沿ってずれていることが殆どである。つまり、重送が発生していれば、画像の読み取り結果に、原稿の送り方向と直交する方向に連続するエッジが生じているはずである。したがって、画像データに対するエッジ検出を行えば、そのエッジがあるか否か、すなわち自動原稿送り部での原稿重送の有無を、特別なセンサ等の機構を要することなく、画像の読み取り結果に対する画像解析を行うだけで判断し得るようになる。
【００１１】
【発明の実施の形態】
以下、図面に基づき本発明に係る画像読取装置および画像読取プログラムについて説明する。
【００１２】
先ず、画像読取装置の概略構成について説明する。図１は、本発明に係る画像読取装置の概略構成の一例を示すブロック図である。ここで説明する画像読取装置は、シート状の原稿からその原稿に描かれている画像を光学的に読み取るためのものであり、さらにはＡＤＦを用いたスキャン動作に対応可能なものである。そのために、画像読取装置は、図例のように、大別すると、ＡＤＦ１と、スキャナ本体２と、パーソナルコンピュータ（Ｐｅｒｓｏｎａｌ  Ｃｏｍｐｕｔｅｒ；以下「ＰＣ」と略す）１０と、を備えて構成されている。
【００１３】
ＡＤＦ１は、読み取り対象となるシート状の原稿を毎葉（１枚毎）で連続的に搬送して、各原稿をスキャナ本体２での画像読み取りに供するものである。そのために、ＡＤＦ１は、少なくとも、読み取り対象となる未スキャン原稿３が積載される給紙トレイと、画像読み取り後のスキャン済原稿４が排出される排出トレイと、案内路や搬送ローラ等の組み合わせからなる原稿搬送手段とを備え、その原稿搬送手段が給紙トレイにセットされた原稿を一枚ずつ繰り出して排出トレイまで搬送するように構成されている。なお、ＡＤＦ１の詳細については、周知であるため、ここではその説明を省略する。
【００１４】
スキャナ本体２は、ＡＤＦ１が搬送する原稿から画像を光学的に読み取って画像データを得るものであり、その光学的読み取り、すなわち原稿のスキャン動作を行う画像読み取り部として機能するものである。ただし、ＡＤＦ１を用いたスキャン動作に対応可能なものであれば、搬送された原稿を一旦プラテンガラス上に載置してスキャン動作を行うものであっても、あるいは原稿を移動させながら画像を読む、いわゆるＣＶＴ（Ｃｏｎｓｔａｎｔ  Ｖｅｌｏｃｉｔｙ  Ｔｒａｎｓｆｅｒ）方式にも対応したものであってもよい。なお、スキャナ本体２の詳細についても、ＡＤＦ１と同様に周知であるため、ここではその説明を省略する。
【００１５】
ＰＣ１０は、スキャナ本体２と接続しているとともに、ＡＤＦ１とも直接的に、あるいはスキャナ本体２を介して間接的に接続しているもので、これらＡＤＦ１およびスキャナ本体２における処理動作を制御する読み取り制御部として機能するものである。ただし、ＰＣ１０は、必ずしもスキャナ本体２と別体で設けられている必要はなく、後述する各機能を実現するものであれば、スキャナ本体２内に搭載されたＡＳＩＣ（Ａｐｐｌｉｃａｔｉｏｎ  Ｓｐｅｃｉｆｉｅｄ  Ｉｎｔｅｇｒａｔｅｄ  Ｃｉｒｃｕｉｔ）等からなるものであっても構わない。
【００１６】
ところで、ＰＣ１０は、図示しない出力手段および操作手段に加えて、スキャン処理手段１１、スキャン結果手段１２、二重エッジ検出処理手段１３、確認処理手段１４、廃棄処理手段１５としての機能を有している。
【００１７】
出力手段は、ディスプレイ装置や表示パネル等からなるもので、画像読取装置のユーザに対する情報表示を行うものである。また、操作手段は、キーボード装置や操作パネル等からなるもので、画像読取装置のユーザが情報入力を行うものためのである。
【００１８】
スキャン処理手段１１は、ＡＤＦ１およびスキャナ本体２とのインタフェースを確立するためのものである。具体的には、これらＡＤＦ１およびスキャナ本体２に対して処理動作の開始／停止等を指示したり、スキャナ本体２が得た画像データをそのスキャナ本体２から受け取ったりするようになっている。
【００１９】
スキャン結果手段１２は、スキャン処理手段１１が受け取った画像データ、すなわちスキャナ本体２でのスキャン動作の結果である画像データを、バッファリング（保存）しておくものである。
【００２０】
二重エッジ検出処理手段１３は、スキャン結果手段１２内に保存された画像データに対して、エッジ検出処理を行うとともに、そのエッジ検出処理の結果に基づいてＡＤＦ１での原稿重送の有無を判断するものである。すなわち、二重エッジ検出処理手段１３は、画像データに対するエッジ検出を行うエッジ検出手段としての機能と、その検出結果から原稿重送の有無を判断する重送判断手段としての機能とを、それぞれ実現するものである。なお、この二重エッジ検出処理手段１３が行うエッジ検出処理等については後述する。
【００２１】
確認処理手段１４は、二重エッジ検出処理手段１３が原稿重送有りと判断した場合に、その判断結果を画像読取装置のユーザに確認させるものである。そのために、確認処理手段１４では、原稿重送有りとの判断があると、出力手段を用いてその旨のアラーム出力を行うとともに、そのアラーム出力に応じて行われる操作手段からの情報入力の内容を認識するようになっている。
【００２２】
廃棄処理手段１５は、確認処理手段１４によって原稿重送が確認された画像データについて、スキャン結果手段１２に対してその画像データの廃棄、すなわちバッファリングしている中からの削除を指示するものである。ただし、廃棄処理手段１５では、廃棄指示にあたって、原稿重送に係る画像データのみ、すなわち原稿重送があったページについてのみ、その廃棄を指示するようになっている。
【００２３】
なお、これらの各手段１１〜１５は、ＰＣ１０におけるＣＰＵ（Ｃｅｎｔｒａｌ  Ｐｒｏｃｅｓｓｉｎｇ  Ｕｎｉｔ）が、同ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）に格納された所定プログラムを実行することによって実現されるものとする。この場合、当該所定プログラムは、予めＲＯＭ内またはＲＡＭ内にインストールしておくことが考えられるが、コンピュータ読み取り可能な記憶媒体に格納されて提供されるものであっても、または有線若しくは無線による通信手段を介して配信されるものであってもよい。つまり、ここで説明した画像読取装置におけるＰＣ１０は、コンピュータを同様に機能させる画像読取プログラム、すなわち本発明に係る画像読取プログラムによっても実現することが可能である。
【００２４】
次に、以上のように構成された画像読取装置（画像読取プログラムを含む）において、原稿重送の有無を判断する場合の処理手順について説明する。
【００２５】
ＡＤＦ１を用いたスキャン動作を行う場合には、先ず、ユーザが読み取り対象となる未スキャン原稿３をＡＤＦ１の給紙トレイにセットする。そして、ユーザによるＰＣ１０の操作手段での所定操作があると、ＰＣ１０のスキャン処理手段１１がＡＤＦ１およびスキャナ本体２にスキャン動作を開始させる。すなわち、スキャン処理手段１１は、ＡＤＦ１を動作させて、給紙トレイ上の原稿を毎葉で連続的に搬送させる。さらに、スキャナ本体２を動作させて、ＡＤＦ１が搬送する原稿からの画像データの読み取りを行わせる。
【００２６】
このスキャン動作によってスキャナ本体２がビットマップ状の画像データを得ると、スキャン処理手段１１は、その画像データをスキャナ本体２から受け取るとともに、受け取った画像データをスキャン結果としてスキャン結果手段１２に保存させる。このとき、スキャン結果手段１２は、スキャナ本体２での読み取り単位であるページ毎に、画像データを保存する。そして、１ページ分の画像データがスキャン結果手段１２に保存されると、二重エッジ検出処理手段１３は、その時点で、その１ページ分の画像データに対するエッジ検出処理を開始する。
【００２７】
このとき、二重エッジ検出処理手段１３では、１ページ分の画像データの原稿送り方向における上端から所定画素数の領域のみをエッジ検出処理の対象とする。ただし、１ページ分の下端から所定画素数の領域のみを対象としても、あるいは上端かおよび下端の両方から所定画素数の領域を対象としてもよい。これらの領域に処理対象を限るのは、二重エッジ検出処理手段１３の処理負荷を軽減するためである。さらには、通常、ＡＤＦ１またはスキャナ本体２には原稿の用紙長検出機能が設けられており、原稿同士がずれた状態での重送が発生すると用紙長検出機能によって異常であることが検出されるので、その用紙長検出機能で検出し得ないずれ量の重送に限って二重エッジ検出処理手段１３で検出すればよいからである。したがって、二重エッジ検出処理手段１３が処理対象とする領域の所定画素数は、ＡＤＦ１またはスキャナ本体２における用紙長検出機能の能力に応じて、その大きさを、例えば１ｃｍ相当分といった具合に、予め設定しておくことが考えられる。
【００２８】
ここで、二重エッジ検出処理手段１３によるエッジ検出処理について詳しく説明する。図２は、エッジ検出処理の一具体例の概要を示す説明図である。二重エッジ検出処理手段１３では、エッジ検出処理にあたり、先ず、処理対象となる画像データ５に対して、エッジ強調処理を行う（ステップ１０１、以下ステップを「Ｓ」と略す）。エッジ強調処理は、例えば、画像データ５の注目画素に対して、その濃度を「−４倍」するとともに、その周囲８画素の濃度を図中の表に示すような係数を乗じた上で足し合わせることで行えばよい。このようなエッジ強調処理を行うことで、縦横の繋がりが強い画素についてはその濃度が強調され、結果として連続性の高い部分が強調されることになる。
【００２９】
そして、エッジ強調処理後、二重エッジ検出処理手段１３は、そのエッジ強調処理によって連続性が強調された画像データ６に対して、二値化処理を行う（Ｓ１０２）。二値化処理は、スキャナ本体２の仕様（露光量や階調能力等）に応じて予め設定された閾値を用い、画像データ６の注目画素の濃度が閾値以上ならば「１」、それ未満ならば「０」、といった具合に行えばよい。
【００３０】
二値化処理が終了すると、続いて、二重エッジ検出処理手段１３は、その二値化処理後の画像データ７に対して、エッジ検出処理を行う（Ｓ１０３）。エッジ検出処理では、画像データ７の端縁画素から副走査方向に画素値が「１」である画素までの画素数を数える。そして、これを主走査方向に繰り返して行う。その結果、数えた画素数が主走査方向で略一致する場合には、その部分に画像データ７のエッジが存在すると判断する。
【００３１】
このように、二重エッジ検出処理手段１３では、エッジ強調処理および二値化処理を経た後にエッジ検出処理を行うので、高精度に画像データのエッジを検出することができる。ただし、必ずしもエッジ強調処理および二値化処理は必須ではない。また、ここで説明したエッジ強調処理、二値化処理およびエッジ検出処理の手法も一具体例に過ぎず、他の手法を用いてエッジ検出処理を行ってもよいことは勿論である。
【００３２】
エッジ検出処理を行った後は、二重エッジ検出処理手段１３では、そのエッジ検出処理の結果に基づいて、ＡＤＦ１での原稿重送の有無を判断する。例えば、エッジ検出処理によって、検出対象領域内にエッジが２本以上存在していることが検出された場合には、原稿重送が有ったと判断する。なお、このときの判断基準も、ＡＤＦ１やスキャナ本体２等の仕様（搬送速度等）に応じつつ、誤検出を招かないものを予め決定しておき、これを二重エッジ検出処理手段１３内、あるいは二重エッジ検出処理手段１３がアクセスし得る箇所に予め設定しておけばよい。具体的には、上述したように、２本以上のエッジが存在していると原稿重送と判断する他にも、検出対象領域内のさらに所定の限定領域（例えば、端縁近傍を除く領域）内に１本でもエッジが存在していれば原稿重送と判断する、といったことも考えられる。
【００３３】
このようにして、二重エッジ検出処理手段１３は、スキャン結果手段１２内の１ページ分の画像データに対するエッジ検出処理を行い、ＡＤＦ１での原稿重送の有無を判断する。そして、その判断結果をスキャン処理手段１１および確認処理手段１４に通知する。
【００３４】
このとき、原稿重送が発生していないと二重エッジ検出処理手段１３が判断すれば、引き続きＡＤＦ１およびスキャナ本体２によるスキャン動作が行われ、次ページ分の画像データに対して二重エッジ検出処理手段１３による同様の処理が繰り返される。また、原稿重送が有ると二重エッジ検出処理手段１３が判断した場合には、その旨の通知を受けたスキャン処理手段１１は、直ちに、ＡＤＦ１に対して原稿搬送の一時停止を指示するとともに、スキャナ本体２に対してスキャン動作の一時停止を指示する。さらに、その旨の通知を受けた確認処理手段１４は、画像読取装置のユーザに対し、ＰＣ１０の出力手段を介して、ＡＤＦ１で原稿重送が有った旨のアラーム出力を行う。つまり、確認処理手段１４は、二重エッジ検出処理手段１３による判断結果をユーザに確認させる。これにより、ユーザは、アラーム出力の内容とＡＤＦ１におけるスキャン済原稿４とを比較して、本当に原稿重送が発生したか否かの最終的な判断を下すことができる。
【００３５】
その結果、原稿重送ではないとユーザが判断した場合には、そのユーザによるＰＣ１０の操作手段での所定操作に応じて、スキャン処理手段１１がＡＤＦ１およびスキャナ本体２に対する一時停止指示を解除し、引き続きＡＤＦ１およびスキャナ本体２にスキャン動作を行わせる。このとき、スキャン結果手段１２内の画像データは、そのまま保存される。
【００３６】
一方、原稿重送が発生したとユーザが判断し、そのユーザにより重送されたそれぞれの原稿、すなわち原稿重送に係る原稿のＡＤＦ１への再セット、およびそのユーザによるＰＣ１０の操作手段での再スタートのための所定操作があると、スキャン処理手段１１は、再セットされた原稿についてスキャン動作を行うようにＡＤＦ１およびスキャナ本体２に対して指示を与える。また、廃棄処理手段１５は、ユーザによるＰＣ１０の操作手段での再スタートのための所定操作に応じて、スキャン結果手段１２内に保存されている画像データのうち、原稿重送に係るページについての破棄を、スキャン結果手段１２に対して指示する。これにより、スキャン結果手段１２からは原稿重送に係る画像データが削除されるとともに、ＡＤＦ１およびスキャナ本体２が再セットされた原稿についてのスキャン動作を開始する。このようにして、画像読取装置では、画像データのページ単位で原稿重送の有無を判断しながら、ＡＤＦ１にセットされた原稿の全てについて読み取りが終了するまで、スキャン動作を繰り返すのである。
【００３７】
以上のように、本実施形態で説明した画像読取装置および画像読取プログラムでは、ＡＤＦ１が搬送する原稿からスキャナ本体２が画像データを読み取ると、二重エッジ検出処理手段１３がその画像データに対するエッジ検出を行うようになっている。これは、ＡＤＦ１で原稿重送が発生すると、重なり合う原稿の端縁同士が完全に一致していることは稀で、通常は数ｍｍ程度のずれが生じているため、スキャン結果に少なくとも二重のエッジが存在すること、すなわちスキャン結果である画像データに原稿の送り方向と直交する方向に連続するエッジが存在することを利用したものである。
【００３８】
したがって、本実施形態における画像読取装置および画像読取プログラムによれば、原稿重送の検出を、特別なセンサ等の機構に依ることなく、スキャン結果に対するエッジ検出という画像解析を行うだけで判断し得るようになる。つまり、ＡＤＦ１での原稿の重送発生を検出する場合であっても、画像読取装置の構成が必要以上に複雑化してしまうのを回避することができ、その結果、装置小型化や低コスト化等についても実現容易となる。このことは、例えば家庭用として用いられるような比較的安価な画像読取装置を構成する上で非常に有効である。
【００３９】
また、本実施形態における画像読取装置および画像読取プログラムによれば、エッジ検出という画像解析の結果、ＡＤＦ１での原稿の重送発生を検出すると、それに応じてＡＤＦ１に対して原稿搬送の停止を指示するようになっている。したがって、原稿の重送が発生した場合であっても、その時点で直ちにスキャン動作が一時停止し、後の時点で原稿の全てについて再度スキャン動作が必要になるといったこともないので、重送発生に伴うユーザの負荷軽減が図れるようになる。
【００４０】
さらに、本実施形態における画像読取装置および画像読取プログラムによれば、エッジ検出という画像解析の結果、ＡＤＦ１での原稿の重送発生を検出すると、ユーザに対するアラーム出力を行うようになっている。したがって、重送発生の検出結果を、直ちにユーザに報知することが可能となる。しかも、アラーム出力に応じたユーザによる所定操作があるとスキャン動作を再開するので、原稿重送が発生したか否かの最終的な判断をユーザが下すこともでき、また所定操作によりスキャン結果手段１２内の原稿重送に係る画像データの廃棄要否をも指示し得る。したがって、原稿重送が発生した場合には、原稿重送に係る画像データを廃棄してから再スキャン動作をすることになるので、スキャン結果手段１２内にスキャン結果が蓄積される場合であっても、重送箇所の差し替えやページ順の順序の入れ替え等の編集作業を行わずに済む。
【００４１】
つまり、原稿重送の発生時には、スキャン動作を即時停止し、原稿重送に係る画像データの廃棄し、ユーザを介在させて重送発生以降の原稿を再セットさせ、その後再スキャン動作を行うといったように、ユーザを介在させて略半自動で原稿重送を解決するようになっている。そのため、ユーザは、重送発生箇所の特定のためにスキャン直後の数枚を確認するだけで済み、またスキャン動作を再開する場合でも重送に係る画像データについて自ら編集作業を行う必要がない。したがって、原稿重送を簡素な構成および処理手順によって解決することができるので、この点においても、例えば家庭用として用いられるような比較的安価な画像読取装置のように、過大な処理能力が要求されない画像読取装置に適用して非常に好適であると言える。
【００４２】
なお、本実施形態では、原稿重送に係る画像データの差し替えやページ順の入れ替え等といった編集作業を不要とした場合の処理手順を例に挙げて説明したが、これらの編集作業を行うようにしても構わない。すなわち、全ての原稿についてのスキャン動作を行って画像データをスキャン結果手段１２内に保存した後、当該画像データの各ページについて原稿重送の発生有無を判断し、原稿重送が有れば廃棄処理手段１５が原稿重送に係る画像データを廃棄するとともに、原稿重送に係る原稿についてのみ再スキャン動作を行い、その再スキャン動作で得られた画像データを用いてスキャン結果手段１２内におけるスキャン結果を編集する、といったことも考えられる。
【００４３】
【発明の効果】
以上に説明したように、本発明に係る画像読取装置および画像読取プログラムによれば、画像データに対するエッジ検出を行い、そのエッジ検出の結果に基づいて原稿重送の有無を判断するようになっているので、特別なセンサ等の機構を要することなく、原稿の重送発生を検出することができる。したがって、装置構成の複雑化等を招くことなく、重送発生に伴うユーザの負荷軽減を図ることができる。
【図面の簡単な説明】
【図１】本発明に係る画像読取装置の概略構成の一例を示すブロック図である。
【図２】エッジ検出処理の一具体例の概要を示す説明図である。
【符号の説明】
１…ＡＤＦ、２…スキャナ本体、３…未スキャン原稿、４…スキャン済原稿、５，６，７…画像データ、１０…ＰＣ、１１…スキャン処理手段、１２…スキャン結果手段、１３…二重エッジ検出処理手段、１４…確認処理手段、１５…廃棄処理手段
【図１】
2005005837.tif 000003
【図２】
2005005837.tif 000004